(57)【特許請求の範囲】
【請求項１】
エアゾール容器のステムに接続されるステム接続部及び該ステム接続部に連通する吐出筒を有し、前記ステムの押し下げにより前記エアゾール容器に収容された内容物を前記吐出筒の先端から吐出可能としたノズル体と、
前記エアゾール容器に装着されて前記吐出筒の先端を前方に向けて配置しつつ前記ノズル体を取り囲むカバー体と、を備え、
前記カバー体は、前方に設けた第１ヒンジ部を支点として揺動自在に該カバー体に連結されるとともに前記吐出筒を支持する吐出筒支持部と、
前記第１ヒンジ部よりも上方に設けた第２ヒンジ部を支点として揺動自在に該カバー体に連結されるとともに前記ノズル体を押し下げ可能に配置された操作片と、を有し、
前記第２ヒンジ部が、前記第１ヒンジ部よりも後方に位置することを特徴とする吐出具。
【請求項２】
前記エアゾール容器が２本の前記ステムを備える、請求項１に記載の吐出具。
【請求項３】
前記操作片の下面には、略球面状の凸部が設けられ、
前記ノズル体の上面には、該凸部が当接する略球面状の凹部が設けられている、請求項１又は２に記載の吐出具。
【請求項４】
平面視で、前記凸部及び前記凹部が、請求項２に記載の２本の前記ステムの中間に配置されている、請求項３に記載の吐出具。
【発明の詳細な説明】
【技術分野】
【０００１】
本発明は、内容物を収容するエアゾール容器に装着される吐出具に関する。
【背景技術】
【０００２】
従来、内容物とともに加圧ガスを収容しておき、ステムを押し下げることで内容物を外部に吐出するエアゾール容器としては、１つの容器内に一の内容物を収容するとともに１本のステムを有するシングルタイプの容器や、シングルタイプの容器を左右に並べて１組とした二連式タイプの容器（例えば特許文献１）の他、１つの容器内に２種類の内容物を別個に収容するとともに２本のステムを有する容器が知られている。
【０００３】
例えば特許文献１には、エアゾール容器に装着される固定盤と、固定盤に取付けられるカバー部材と、エアゾール容器のステムに装着されるノズル体とを備え、ノズルを押し下げることでエアゾール容器のステムを介してノズルの吐出口から内容物を吐出する構成の吐出具が記載されている。この吐出具においては、ノズル体及び操作片が、カバー部材の前方に設けたヒンジ部を支点に揺動可能とされており、内容物を吐出する際に操作片が押し下げられると、ノズル体がヒンジ部を支点に揺動してステムを押し下げる構成とされている。
【先行技術文献】
【特許文献】
【０００４】
【特許文献１】特開２０１４−２３４１９３号公報
【発明の概要】
【発明が解決しようとする課題】
【０００５】
しかしながら、特許文献１に記載の吐出具のように、ノズル体及び操作片が共通のヒンジ部を支点として一体に揺動変位する構造の場合、内容物を吐出する際に比較的大きな力で操作片を押し下げなければならなかった。特に、２本のステムから異なる種類の内容物を同時に吐出させるタイプのエアゾール容器においては、２本のステムを同時に押し下げなければならないため、操作片の押し下げにかかる力を低減して操作片を押し下げ易くすることが望まれている。
【０００６】
それゆえ、本発明は、操作片の押し下げによりエアゾール容器に収容された内容物を吐出するエアゾール容器用の吐出具において、操作片の押し下げに係る力を低減し、軽い力でも容易に内容物を吐出することが可能な吐出具を提供することを目的とする。
【課題を解決するための手段】
【０００７】
本発明は上記課題を解決するためになされものであり、本発明の吐出具は、エアゾール容器のステムに接続されるステム接続部及び該ステム接続部に連通する吐出筒を有し、前記ステムの押し下げにより前記エアゾール容器に収容された内容物を前記吐出筒の先端から吐出可能としたノズル体と、
前記エアゾール容器に装着されて前記吐出筒の先端を前方に向けて配置しつつ前記ノズル体を取り囲むカバー体と、を備え、
前記カバー体は、前方に設けた第１ヒンジ部を支点として揺動自在に該カバー体に連結されるとともに前記吐出筒を支持する吐出筒支持部と、
前記第１ヒンジ部よりも上方に設けた第２ヒンジ部を支点として揺動自在に該カバー体に連結されるとともに前記ノズル体を押し下げ可能に配置された操作片と、を有することを特徴とすることを特徴とするものである。
【０００８】
なお、本発明の吐出具にあっては、前記第２ヒンジ部が、前記第１ヒンジ部よりも後方に位置することが好ましい。
【０００９】
また、本発明の吐出具にあっては、前記エアゾール容器が２本の前記ステムを備えることが好ましい。
【００１０】
また、本発明の吐出具にあっては、前記操作片の下面には、略球面状の凸部が設けられ、
前記ノズル体の上面には、該凸部が当接する略球面状の凹部が設けられていることが好ましい。
【００１１】
また、本発明の吐出具にあっては、平面視で、前記凸部及び前記凹部が、２本の前記ステムの中間に配置されていることが好ましい。
【発明の効果】
【００１２】
本発明によれば、操作片の押し下げによりエアゾール容器に収容された内容物を吐出するエアゾール容器用の吐出具において、操作片の押し下げに係る力を低減し、軽い力でも容易に内容物を吐出することが可能な吐出具を提供することが可能となる。
【図面の簡単な説明】
【００１３】
【図１】本発明の一実施形態に係る吐出具をエアゾール容器に装着した状態を示す、側面側から見た断面図である。
【図２】図１の吐出具の平面図であり、右側（図では下側）の半部を図１のＡ−Ａ断面で示している。
【図３】図１の吐出具の正面図である。
【図４】図１の吐出具におけるカバー部材の後方開口からノズル体を挿入する様子を示す断面図である。
【図５】図１の吐出具において操作片を押し下げた状態を示す断面図である。
【図６】（ａ）は、図５に示す吐出具の一部を示す図であり、（ｂ）は、比較としての吐出具を示す図である。
【図７】本発明の第２実施形態に係る吐出具におけるカバー部材に、下方からノズル体を挿入する様子を示す断面図である。
【発明を実施するための形態】
【００１４】
以下、本発明の実施の形態を図面に基づき詳細に説明する。なお、本明細書、特許請求の範囲及び要約書において「前方」とは、ノズル体の吐出筒の先端（吐出口）が位置する側であり、「後方」とは、その反対側である。また、「左側」、「右側」とは、前方側から後方側に向かって見る際の左右方向をいう。そして「上方」とは、図１において、エアゾール容器に対してノズル体が位置する側であり、「下方」とは、その反対側である。
【００１５】
図１、３、４に示すように、本発明の第１実施形態である吐出具１は、エアゾール容器２に装着されるものであり、ステム２５に接続されて吐出筒３１の先端（吐出口）から内容物を吐出するノズル体３と、ノズル体３を取り囲むカバー体４とを備える。
【００１６】
エアゾール容器２は、例えば合成樹脂製となる有底円筒状の容器本体２１に、例えば金属製となるマウンティングカップ２２の外縁を巻き締めして固着したものであって、容器本体２１の内側には２種類の内容物が別個に収容されている。本実施形態のマウンティングカップ２２は、容器本体２１に巻き締めした円環状部２３と、円環状部２３の上方に位置し、円周状の側面の一部を平面状にしたマウンティングカップ本体部２４とを有している。またエアゾール容器２は、それぞれの内容物の収容空間につながる総計２つのステム２５を有していて、２つのステム２５は、マウンティングカップ本体部２４から上方に向けて突出している。
【００１７】
ノズル体３は、先端から内容物を吐出する吐出筒３１と、当該吐出筒３１に連通し、ステム２５に接続される一対のステム接続部３２とを有する。本実施形態において吐出筒３１の延在方向は、ステム接続部３２の延在方向に対して直交しているが、これに限定されるものではなく、適宜、任意の角度に設定することができる。一対のステム接続部３２は、それぞれ円筒状に形成されており、ステム２５に対して着脱自在に嵌合する。ノズル体３をステム２５に装着した状態において、ステム２５は、ステム接続部３２とノズル体３内の流路を介して吐出筒３１に連通することとなる。吐出筒３１の下面には、後述する吐出筒支持部６５への挿入時にストッパーとなる係合突起３３が設けられており、吐出筒支持部６５の端部に係合突起３３が当接するまで吐出筒３１を挿入することで、容易にノズル体３を所期した位置に配置することができる。
【００１８】
なお、本実施形態では吐出筒３１の内部に２本の流路を形成して、吐出口まで内容物が合流しない構成としているが、ノズル体３内で２本のステム２５からの内容物が合流する構成としてもよい。
【００１９】
図１に示すように、本実施形態のカバー体４は、エアゾール容器２のマウンティングカップ２２に装着される固定盤５と、固定盤５に着脱自在に装着されるカバー部材６とで構成されている。
【００２０】
固定盤５は、図１、４に示すように、中央部に開口を設けた上壁５１と、マウンティングカップ本体部２４の側面を取り囲む略円筒状の側壁５２とを備えている。本実施形態の側壁５２は、マウンティングカップ本体部２４の側面における平面状の部位に対応する位置に平坦部５２ａを有していて、マウンティングカップ本体部２４に対して回転しないようにしている。また側壁５２の下部には、径方向外側に向けて延在するフランジ５３を設けていて、フランジ５３の下部には、円環状部２３を取り囲んで円環状部２３に抜け止め保持される嵌合壁５４を設けている。またフランジ５３の外縁部には、下方に延在する円筒状の外側壁５５を設けている。
【００２１】
カバー部材６は、図１、３に示すように、固定盤５を取り囲む筒状の周壁６１と、周壁６１の上部に連なる左右一対の頂壁６２と、頂壁６２から垂下する左右一対の内側側壁６３とを備える。周壁６１の前方側には、固定盤５の平坦部５２ａに対応する平坦壁部６１ａが設けられており、カバー部材６及び固定盤５の相対的な周方向の位置を合わせることができるとともに、相対的な回転を防止している。
【００２２】
平坦壁部６１ａの上部には、薄肉状の第１ヒンジ部６４を介して平坦壁部６１ａと一体に連結され、内側に吐出筒３１を収容可能な筒状の吐出筒支持部６５が設けられている。吐出筒支持部６５は、第１ヒンジ部６４を支点として揺動変位可能とされている。吐出筒支持部６５の内面には、吐出筒３１の外周面に設けた凸部３１ａに係合して、吐出筒３１を抜け止め保持するための凹部６５ａが形成されている。なお、第１ヒンジ部６４は、左右方向に水平に延びている。また、吐出筒支持部６５の形状は筒状に限定されず、吐出筒３１を支持する任意の形状を採用可能であり、例えば、吐出筒３１の下面から側面までを取り囲み上方は開放された形状とすることも可能である。
【００２３】
カバー部材６には、第１ヒンジ部６４よりも上方、且つ、後方で、左右一対の内側側壁６３を相互に連結する連結部６６が設けられている。さらに連結部６６の後方には、薄肉状の第２ヒンジ部６７を介して、操作片６８が揺動自在に一体に連結されている。連結部６６及び第２ヒンジ部６７は第１ヒンジ部６４と平行に、すなわち、左右方向に延在している。
【００２４】
操作片６８の下面には、略球面状の凸部６９が設けられている。凸部６９は、平面視で略十字状であり、先端面（外面）が球面状とされている。凸部６９は、操作片６８を押し下げた際にノズル体３の上面に設けた略球面状の凹部３４に入り込んでノズル体３を押し下げるための構成である。凸部６９は、操作片６８の左右方向の中央に位置し、容器本体２１の中心軸線Ｃの近傍に配置されている。凸部６９及び凹部３４は、図２に示すように、平面視において左右一対のステム２５の中間位置に設けられている。
【００２５】
ここで、上記構成の吐出具１をエアゾール容器２にセットする際には、予めノズル体３をカバー部材６に仮セットしたものを、エアゾール容器２に固定した固定盤５に装着する。ノズル体３をカバー部材６に仮セットする際には、図４に示すように、周壁６１の後方側に形成された後方開口６１ｂから、ノズル体３を挿入し、ノズル体３の吐出筒３１を吐出筒支持部６５に挿入していく。この時、第２ヒンジ部６７を支点に操作片６８を上方に揺動させることで、ノズル体３の挿入が容易となる。そして、吐出筒支持部６５の後端に係合突起３３が当接するまで吐出筒３１を挿入することで、カバー部材６に対するノズル体３の仮セットが完了する。その後、ノズル体３を仮セットしたカバー部材６を、固定盤５に装着し、ステム２５にノズル体３のステム接続部３２を嵌合させることにより、セットが完了する。なお、本実施形態では固定盤５の外周面に設けた爪がカバー部材６の周壁６１の孔に係合することにより、カバー部材６が抜け止め保持される構成としているが、固定盤５とカバー部材６の間の係合形態は特に限定されず、任意の係合構造を採用することができる。
【００２６】
内容物を吐出する際には、図５に示すように操作片６８を押し下げて、第２ヒンジ部６７を支点として下方に揺動変位させる。押し下げられた操作片６８の凸部６９がノズル体３の凹部３４に当接し、ノズル体３が押し下げられ、ノズル体３は吐出筒支持部６５と一体に第１ヒンジ部６４を支点として下方に揺動変位し、ステム２５が下方に押し下げられる。ステム２５が押し下げられることにより、容器本体２１内の内容物がステム２５及びノズル体３の内部の流路を介して吐出筒３１の先端から吐出される。
【００２７】
以上のような構成の吐出具１にあっては、ノズル体３の揺動変位の支点となる第１ヒンジ部６４とは別に設けた第２ヒンジ部６７を支点に操作片６８が揺動する構成としたことで、ノズル体３と操作片６８とが独立して揺動可能となり、操作片６８の押し下げをスムーズに行うことができる。これにより、内容物を吐出する際のノズル体３及びステム２５の押し下げが容易となる。特に、本実施形態のエアゾール容器２のように、２本のステム２５を有する場合には、２本のステム２５を同時に押し下げることができ、容易に２本のステム２５から適切なバランスで内容物を吐出することが可能となる。
【００２８】
ここで、図６（ｂ）は、比較のために示した吐出具１００であり、ヒンジ部Ｐを支点に吐出筒支持部１６５、ノズル体１０３及び操作片１６８が一体に揺動する構成とされている。吐出具１００は、支点となるヒンジ部Ｐから作用点となる点Ｑ（操作片１６８からの押圧力がノズル体１０３に加わる点）までの前後方向距離Ｌ３が、点Ｑから力点となる点Ｒまでの前後方向距離Ｌ４と同等とされている。
【００２９】
これに対して図６（ａ）に示す本実施形態の吐出具１にあっては、第２ヒンジ部６７が、第１ヒンジ部６４よりも後方に配置されているため、図６（ａ）に示すように、第２ヒンジ部６７から作用点となる点Ｄ（凸部６９と凹部３４との接点）までの前後方向距離Ｌ１が、点Ｄから力点となる点Ｅまでの前後方向距離Ｌ２よりも小さくなっている。このような構成とすることで、梃子の原理に基づき、ステム２５を押し下げる際に必要となる操作片６８に加える力を小さくすることができる。すなわち、小さい力でも容易にステム２５を押し下げ、内容物を吐出することが可能となる。例えば、図６（ａ）、（ｂ）に示す距離Ｌ３、距離Ｌ４及び距離Ｌ２が等しく、距離Ｌ１が距離Ｌ２の０．６倍である場合、図６（ａ）に示す吐出具１で必要となる押し下げ力は、図６（ｂ）に示す吐出具１００で必要となる押圧力の７５％となる。
【００３０】
また、本実施形態の吐出具１にあっては、第２ヒンジ部６７の前後方向の位置をずらして上記距離Ｌ１を調整することにより、内容物を吐出するのに必要な押圧力を調整することができる。
【００３１】
また、本実施形態の吐出具１にあっては、平面視で２本のステム２５の中間となる位置に凸部６９及び凹部３４を設けたことにより、操作片６８に対して押圧力を加える位置が左右にずれている場合でも、それぞれのステム２５に均等に押圧力を加えることができる。その結果、ノズル体３及びステム２５の動作が安定して２種類のステム２５の押し下げ量がばらつき難くなり、各ステム２５から吐出される内容物のバランスをより安定させることができる。特に、操作片６８への押圧力が小さい場合には吐出量が不安定になり易いものの、本発明によればステム２５がスムーズに押し下げ易くなるため、各ステム２５から適切な吐出量のバランスで内容物を吐出することができる。
【００３２】
以下に、本発明の他の実施形態について説明する。なお、先の第１実施形態と同一又は対応する構成については、同一の符号で表し、説明を省略する。
【００３３】
図７は、本発明の第２実施形態の吐出具１０におけるカバー部材１６を示しており、カバー部材１６は、第１実施形態に比べて、後方側の周壁６１の高さが高く設定されたものである。この吐出具１０にあっては、ノズル体３をカバー部材１６に仮セットする際、周壁６１の下方開口からノズル体３を挿入し、吐出筒３１を吐出筒支持部６５に挿入することにより、ノズル体３を仮セットすることができる。なお、先の実施形態の吐出具１においても、本実施形態のようにカバー部材６の周壁６１の下方開口からノズル体３を挿入して仮セットを行うことも可能である。
【００３４】
以上、図示例に基づき説明したが、本発明は上述の実施形態に限定されるものでなく、特許請求の範囲の記載範囲内で適宜変更することができるものであり、例えば、先の実施形態では、カバー部材６が固定盤５に対して装着される構成としているが、これに限定されるものではなく、例えば、固定盤５を設けずにカバー部材６を直接エアゾール容器２のマウンティングカップ２２に装着する構成とすることも可能である。また、先の実施形態では、操作片６８の凸部６９とノズル体３の凹部３４を中央の１か所のみに設ける構成としたが、これに限定されず、例えば、２本のステム２５それぞれの真上に位置するよう２か所に凸部６９と凹部３４を設けることも可能である。また、本発明は、１つの容器内に２種類の内容物を別個に収容するとともに２本のステムを有するエアゾール容器に限らず、１つの容器内に一の内容物を収容するとともに１本のステムを有するシングルタイプのエアゾール容器や、シングルタイプの容器を左右に並べて１組とした二連式タイプのエアゾール容器にも適用可能である。
【符号の説明】
【００３５】
１  吐出具
２  エアゾール容器
３  ノズル体
４  カバー体
５  固定盤
６  カバー部材
２１  容器本体
２２  マウンティングカップ
２３  円環状部
２４  マウンティングカップ本体部
２５  ステム
３１  吐出筒
３２  ステム接続部
３３  係合突起
３４  凹部
５１  上壁
５２  側壁
５２ａ  平坦部
５３  フランジ
５４  嵌合壁
５５  外側壁
６１  周壁
６１ａ  平坦壁部
６１ｂ  後方開口
６２  頂壁
６３  内側側壁
６４  第１ヒンジ部
６５  吐出筒支持部
６６  連結部
６７  第２ヒンジ部
６８  操作片
６９  凸部
Ｃ  中心軸線
【図１】
0006599177.tif 000002
【図２】
0006599177.tif 000003
【図３】
0006599177.tif 000004
【図４】
0006599177.tif 000005
【図５】
0006599177.tif 000006
【図６】
0006599177.tif 000007
【図７】
0006599177.tif 000008